(57)【要約】【課題】納骨用建物の納骨室内の環境を向上させること。【解決手段】納骨室４２を備える納骨用建物Ｔであって、前記納骨室４２を取り囲む壁構造５０を構成する部材の表面のうち、納骨室４２に連通する壁隙間部５４に面している表面の少なくとも一部に、木炭粉を付着させたことを特徴とする納骨用建物である。本納骨用建物によれば、害虫除去効果や防腐効果が得られ、さらに吸着による脱臭などによって納骨室内環境を向上させることができる。【選択図】図１
0003167741.tif 000002
【実用新案登録請求の範囲】
【請求項１】
納骨室を備える納骨用建物であって、前記納骨室を取り囲む壁構造を構成する部材の表面のうち、納骨室内空間又は当該納骨室内空間に連通する空間のうちのいずれか一方又は両方に面している表面の少なくとも一部に、植物由来の炭化物を付着させたことを特徴とする納骨用建物。
【請求項２】
前記壁構造は、少なくとも内壁と外壁とを有する多重構造であり、
前記内壁と外壁との間に、通気可能な壁隙間部が形成されており、
当該壁隙間部に面する、前記壁構造を構成する部材の表面に前記炭化物が付着されており、
前記外壁又は前記納骨室の天井に、前記納骨室の内外に連通する複数の換気口が形成され、しかも当該複数の換気口のうちの少なくとも１つは前記外壁に形成されており、
前記内壁に当該内壁を貫通する複数の貫通部が形成されている請求項１に記載の納骨用建物。
【請求項３】
前記複数の換気口のうち最上方位置に形成された上部換気口の前記納骨室側の開口の位置は、最下方位置に形成された下部換気口の前記納骨室側の開口の位置よりも上方である請求項２に記載の納骨用建物。
【請求項４】
前記内壁は、前記貫通部の部分と難通気性である非貫通部の部分とで構成されており、しかも内壁単位表面積当たりの貫通部開口面積の割合である貫通部占有率は、前記納骨室の床に隣接する内壁下部よりも前記納骨室の天井に隣接する内壁上部の方が大きい請求項２又は請求項３に記載の納骨用建物。
【請求項５】
前記納骨室の天井は、少なくとも上天板と上天板とを有する多重構造であり、
前記上天板と下天板との間に形成される通気可能な天井隙間部は、前記壁構造に接する外周部で前記壁隙間部に連通しており、
前記複数の換気口のうちの少なくとも１つが前記天井に形成され、しかも当該天井に形成された換気口のうちの少なくとも１つの換気口の納骨室内側の開口は、前記上天板に形成されており、
前記下天板は、当該下天板を貫通する複数の貫通部を備えている請求項２から請求項４のいずれか一項に記載の納骨用建物。
【請求項６】
前記上部換気口の納骨室外側の開口部に、換気装置を設置した請求項２から請求項５のいずれか一項に記載の納骨用建物。
【請求項７】
前記壁隙間部の流動気体を横方向又は斜め方向に流動するように案内する案内部材を前記壁隙間部に設置した請求項２から請求項６のいずれか一項に記載の納骨用建物。
【請求項８】
前記壁構造を構成する部材の表面に付着された炭化物は、粉末であり、且つ接着により付着されたものである請求項１から請求項７のいずれか一項に記載の納骨用建物。
【請求項９】
前記納骨用建物は、前記納骨室と当該納骨室の下方に配置されたカロートとを備えている供養塔であり、
前記納骨室と前記カロートとを仕切る納骨室の床に、前記納骨室と前記カロートとを連通する連通孔を備えている請求項１から請求項８のいずれか一項に記載の納骨用建物である供養塔。
【請求項１０】
前記供養塔は、栗石層を有する基礎の上に建てられたものであり、
前記栗石層と、当該栗石層の上方に位置する供養塔の土台部との間に透湿防水性を有するシートが配置されており、
前記土台部に、前記カロート内から前記シートに達する通気穴が形成されており、
前記カロート及び前記通気穴の内周面の少なくとも一部に付着された植物由来の炭化物又は前記通気穴内に充填された植物由来の炭化物のうち、少なくともいずれか一方の炭化物を備えている請求項９に記載の供養塔。
【考案の詳細な説明】
【技術分野】
【０００１】
本考案は、供養塔や納骨堂などの納骨用建物に関する。
【背景技術】
【０００２】
供養塔や納骨堂は、納骨施設として広く知られている。そして、供養塔や納骨堂には、納骨室内に照明手段を設置することで、納骨室内環境を向上させようとしているものがある（特許文献１参照）。
【先行技術文献】
【特許文献】
【０００３】
【特許文献１】特開２００８−１７４９０１
【考案の概要】
【考案が解決しようとする課題】
【０００４】
ところで、上述した納骨室内の照明手段は、供養塔や納骨堂に遺族等の人々が来訪した際の納骨室内環境を向上するためのものである。ところが、納骨室に長期に亘って納められる遺骨に着目して納骨室内環境を向上させるようなことは行われていない。
【０００５】
本考案は、このような問題点に鑑みてなされたものであり、遺骨が長期に亘って納められる納骨用建物の納骨室内の環境を向上させることを課題としている。
【課題を解決するための手段】
【０００６】
本願考案は、納骨室を備える納骨用建物であって、前記納骨室を取り囲む壁構造を構成する部材の表面のうち、納骨室内空間又は当該納骨室内空間に連通する空間のうちのいずれか一方又は両方に面している表面の少なくとも一部に、植物由来の炭化物を付着させたことを特徴とする納骨用建物である。
前記壁構造は、少なくとも内壁と外壁とを有する多重構造であり、前記内壁と外壁との間に、通気可能な壁隙間部が形成されており、当該壁隙間部に面する、前記壁構造を構成する部材の表面に前記炭化物が付着されており、前記外壁又は前記納骨室の天井に、前記納骨室の内外に連通する複数の換気口が形成され、しかも当該複数の換気口のうちの少なくとも１つは前記外壁に形成されており、前記内壁に当該内壁を貫通する複数（多数）の貫通部が形成されている。
前記複数の換気口のうち最上方位置に形成された上部換気口の前記納骨室側の開口の位置は、最下方位置に形成された下部換気口の前記納骨室側の開口の位置よりも上方である。
前記内壁は、前記貫通部の部分と難通気性である非貫通部の部分とで構成されており、しかも内壁単位表面積当たりの貫通部開口面積の割合である貫通部占有率は、前記納骨室の床に隣接する内壁下部よりも前記納骨室の天井に隣接する内壁上部の方が大きい。そして、前記貫通部占有率は、前記内壁の上部であるほど大きい。また、前記内壁は、少なくとも前記内壁下部では、内壁単位表面積当たりの非貫通部部分の面積の割合である非貫通部占有率の方が前記貫通部占有率よりも大きい。さらに、前記内壁は、前記貫通部占有率よりも非貫通部占有率が大きい。
前記納骨室の天井は、少なくとも上天板と上天板とを有する多重構造であり、前記上天板と下天板との間に形成される通気可能な天井隙間部は、前記壁構造に接する外周部で前記壁隙間部に連通しており、前記複数の換気口のうちの少なくとも１つが前記天井に形成され、しかも当該天井に形成された換気口のうちの少なくとも１つの換気口の納骨室内側の開口は、前記上天板に形成されており、前記下天板は、当該下天板を貫通する複数（多数）の貫通部を備えている。
前記上部換気口の納骨室外側の開口部には換気装置が設置されている。
前記壁隙間部の流動気体を横方向又は斜め方向に流動するように案内する案内部材が前記壁隙間部に設置されている。
前記壁構造を構成する部材の表面に付着された炭化物は、粉末であり、且つ接着により付着されたものである。
前記納骨用建物は、前記納骨室と当該納骨室の下方に配置されたカロートとを備えている供養塔であり、前記納骨室と前記カロートとを仕切る納骨室の床に、前記納骨室と前記カロートとを連通する連通孔を備えている請求項１から請求項１０のいずれか一項に記載の納骨用建物である。
前記供養塔は、栗石層を有する基礎の上に建てられたものであり、前記栗石層と、当該栗石層の上方に位置する供養塔の土台部との間に透湿防水性を有するシートが配置されており、前記土台部に、前記カロート内から前記シートに達する通気穴が形成されており、前記カロート及び前記通気穴の内周面の少なくとも一部に付着された植物由来の炭化物又は前記通気穴内に充填された植物由来の炭化物のうち、少なくともいずれか一方の炭化物を備えている。
【考案の効果】
【０００７】
本願考案に係る納骨用建物では、納骨室内空間や納骨室内空間に連通する空間に面している壁構造部材の表面に植物由来の炭化物が付着されているので、当該炭化物が付着された部材表面近傍を流動する空気が炭化物に接触し、これにより納骨室内の空気中にマイナスイオンを発生させることができる。これにより、害虫除去効果や防腐効果などが期待でき、納骨室内環境を向上させることができる。また、納骨室内空気の脱臭によっても納骨室内環境を向上させることができる。
壁構造を、内壁及び外壁を用いた多重構造にして、内壁と外壁との間に通気可能な壁隙間部を確保し、壁隙間部に面する壁構造部材の表面に炭化物を付着させ、納骨室の外壁又は天井に納骨室の内外に連通する換気口を複数形成し、そのうちの１つ以上の換気口を外壁に形成した構造とすれば、外壁の換気口を経て納骨室外から室内側に流入した空気は、内壁によって壁隙間部内を流動するように案内されることとなり、効率良く壁隙間部内の空気を流動させることができる。これにより、炭化物が付着された壁構造材表面付近の空気流動が促進され、炭化物に触れる流動空気の量の増加を図ることができ、マイナスイオンの発生量の増加を図ることができる。そして、内壁に多数の貫通部があれば、発生したマイナスイオンが当該貫通部を通過して納骨室内全体により均等に流入することとなり、納骨室内全体の環境をより迅速且つ均等に改善することができる。
また、複数の換気口のうち最上方位置に形成された上部換気口の前記納骨室側の開口の位置を、最下方位置に形成された下部換気口の前記納骨室側の開口の位置よりも上方に配置し、複数の換気口の位置に高低差をつけておけば、納骨室内外の温度差に基づいて発生する自然対流をより効率良く利用して壁隙間部内における空気流動を生じさせることができる。
貫通部が形成された内壁は、貫通部部分と難通気性である貫通部以外の非貫通部部分とで構成される。この内壁に関して、内壁単位表面積当たりの貫通部開口面積の割合である貫通部占有率を、納骨室の床に隣接する内壁下部よりも納骨室天井に隣接する内壁上部で大きくなるように設定すると、内壁の下側ほど、壁隙間部から納骨室内への空気流動がしにくい状態になる。複数の換気口が形成されている場合、納骨室における流動空気の流入出ルートとしては様々なパターンが考えられるが、容易に生じるパターンとして、例えば上述した自然対流に基づく空気流動が考えられる。この場合、流動空気は、納骨室下部に配置された下部換気口から納骨室内に流入し、納骨室上部に配置された上部換気口から納骨室外に流出する。ここで、納骨室の内壁の下側ほど、壁隙間部から納骨室内への空気流動がしにくい状態になっていれば、下部換気口を経て納骨室外から壁隙間部に空気が流入したとき、当該流入空気のうち直ぐに内壁貫通部を通って納骨室内に流入する空気の量が抑制され、壁隙間部内の流動空気がより効率良く壁隙間部内を流れるようにすることができる。これによりマイナスイオンの発生量の増加をより確実に図ることができる。なお、貫通部占有率を内壁下部よりも内壁上部の方が大きくなる構成としては、内壁を上下方向に並ぶ複数の領域に区切り、上側の領域ほど貫通部占有率が大きくなるようにする構成や、内壁の下側から上側になるに従って漸次、貫通部占有率が大きくなる構造を挙げることができる。そして、内壁の少なくとも内壁下部における貫通部占有率を、貫通部以外の部分の面積の割合である非貫通部占有率より小さくしたり、内壁全体の貫通部占有率を非貫通部占有率より小さくしたりすることによって、内壁下部における壁隙間部から納骨室内への空気流動をより制限し、さらに効率よく壁隙間部内の流動空気が壁隙間部内を流れるようにすることができる。
納骨室の天井を、少なくとも上天板と上天板とを有する多重構造とし、上天板と下天板の間の天井隙間部を壁隙間部に連通させ、天井に形成された換気口の納骨室内側の開口を上天板に形成すると、外壁に形成されたいずれかの換気口を経て納骨室外から室内側に流入した空気を効率良く天井隙間部内に流入させることができ、効率良く天井隙間部を流動させて天井の換気口から室外に放出させることができる。これにより、炭化物が付着された壁構造材表面付近における空気流動がより確実に確保され、炭化物に触れる流動空気の量の増加を図ることができ、マイナスイオンの発生量の増加を図ることができる。そして、天井隙間部に面する天井構成部材の表面に炭化物を付着させれば、炭化物に触れる流動空気量の増加をさらに図ることができる。さらに、下天板に多数の貫通部があれば、発生したマイナスイオンが当該貫通部を通過して納骨室内全体により均等に流入することとなり、納骨室内全体の環境をさらに迅速且つ均等に改善することができる。
上部換気口の納骨室外側の開口部に換気装置を設置すると、換気口を用いた納骨室内の換気の効率を向上させることができる。
壁隙間部の流動気体を横方向又は斜め方向に流動するように案内する案内部材を壁隙間部に設置すると、壁隙間部全体により均等に流動気体を流すことができ、外壁に形成されたいずれかの換気口を経て納骨室外から室内側に流入した空気がより効率良く壁隙間部内を流れるように案内することができる。
壁構造を構成する部材の表面に炭化物粉末を接着剤を用いて接着により付着させると、より確実に炭化物を付着させることができる。
納骨用建物が納骨室と当該納骨室の下方に配置されたカロートとを備えている供養塔である場合に、納骨室とカロートとを仕切る納骨室の床に当該納骨室とカロートとに連通する連通孔を備えれば、納骨室内とカロート内の温度差等に起因する対流を発生させることができるようになる。このような対流が発生すると、両空間相互間の空気の流入出が生じることとなり、各空間内における空気流動を生じさせることができる。
供養塔を栗石層を有する基礎の上に建て、栗石層と当該栗石層の上方に位置する供養塔の土台部との間に透湿防水性を有するシートを配置し、カロート内からシートに達する通気穴を土台部に形成すれば、シート下側からの水分の浸入を防止しつつ、カロート内の湿気を栗石層に排出可能になる。ところで、栗石層は隙間の多い層であり多くの空気を抱え込むことができる層である。また、栗石層は地中にあるので温度変化が小さい層であるのに対し、カロートの天井に相当する納骨室の床は、地上に位置する納骨室に面しており、栗石層に比べて温度変化し易い空間である。従って、カロートと栗石層とに連通する通気穴を形成すれば、カロート内と栗石層内の温度差等に起因する対流を発生させることができるようになる。このような対流が発生すると、両空間相互間の空気の流入出が生じることとなり、カロート内における空気流動を生じさせることができる。そして、カロート及び通気穴の内周面の少なくとも一部に上記炭化物を付着させたり、通気穴内に上記炭化物を充填させたりすれば、当該炭化物に流動気体をふれさせることができ、消臭及びマイナスイオン発生効果が得られる。
【図面の簡単な説明】
【０００８】
【図１】本願考案の実施形態である供養塔を示すものであり、図２のE−E面における供養塔断面を示す正面断面図である。
【図２】図１のＤ−Ｄ面における供養塔断面を示す平面断面図である。
【図３】（Ａ）は、図1の矢印H1の向きから見た壁構造の内壁を示す矢視図であり、（Ｂ）は、図1の矢印H2の向きから見た壁構造の内壁を示す矢視図である。
【符号の説明】
【０００９】
10…基礎、11…真砂土層、12…栗石層、13…砂層、14…透湿防水シート、
15…捨てコンクリート層、16…換気管、20…土台、21…通気穴、
30…カロート部、31…周壁、32…カロート、33…木炭片、34…木炭粉層、
40…納骨室部、40a…ドア、41…床部、41a…カロート開口、42…納骨室、
43…蓋体、44…連通孔、48…骨壷、48a…骨壷本体、48b…骨壷蓋体、
50…壁構造、51…鉄骨、52…外壁、
52a…外壁換気口（下部換気口）、52b…断熱材層、52c…木炭粉層、
53…内壁、53a…貫通孔（貫通部）、53p…内壁ドア部、54…壁隙間部、
55…窓体、55a…光取り窓、
60…天井、61…上天板、61a…天井換気口（上部換気口）、61b…木炭粉層、
62…下天板、62a…貫通孔（貫通部）、63…天井隙間部、
64…ベンチレーター（換気装置）、
Ａ，Ｂ，Ｃ，Ｆ…空気の流れを示す矢印、G…敷地部、GL…地面、Ｔ…供養塔。
【考案を実施するための形態】
【００１０】
本願考案に係る納骨用建物の実施形態は、当該納骨用建物の納骨室を取り囲む壁構造構成部材の表面のうち、納骨室内空間又は当該納骨室内空間に連通する空間のいずれか一方又は両方に面している表面の少なくとも一部に、植物由来の炭化物を付着させたものである。
【実施例１】
【００１１】
次に、本考案の納骨用建物の実施例である供養塔を、図面を参照しつつ説明する。
【００１２】
図１に示されるように、供養塔Ｔは、造成された基礎10を備える敷地部Ｇに建設されているものであり、基礎10の上に構築された供養塔Ｔの土台20と、土台20の上に形成されたカロート部30と、カロート部30の上に形成された納骨室部40とを備えている。なお、カロート部30と納骨室部40とを仕切る位置に、納骨室部40の後述する納骨室42の床41が形成されている。
【００１３】
敷地部Ｇの基礎10は、下から順に、真砂土層11、栗石層12、砂層13、透湿防水シート14、捨てコンクリート層15で構成されたものである。これらのうち、栗石層12及び捨てコンクリート層15は、比較的多くの空隙を有する層であり、空隙中に多くの気体を抱え込むことができると共に通気性を有している。なお、透湿防水シート14の下の砂層13は、主に透湿防水シート14の破れを防止するための保護層ということができ、薄い層であって通気性を有する。従って、透湿防水シート14の上下に、通気性を有する捨てコンクリート層15及び栗石層12が配置されていることになり、両層12,15の間における通気性が確保されている。また、透湿防水シート14の破れを防止するための薄い砂層をシートの上に形成しても良い。
透湿防水シート14とは、透湿防水性樹脂層を有するシートのことである。透湿防水性樹脂としては、例えば、分子中に親水性基を有する透湿性ウレタン樹脂、炭酸カルシウム、シリカ等の微粒子が添加されたポリエチレン、ポリプロピレン等のポリオレフィン、当該ポリオレフィンやフッ素樹脂等の樹脂繊維からなる不織布などを挙げることができる。そして透湿防水シート14は、例えば０．１ｍｍ程度の薄いシートである。
また、栗石層12については、これに替えて、栗石と砂利とを混在させた栗石砂利層を形成しても良く、栗石層と砂利層の二層を形成するようにしても良い。この場合、栗石層と砂利層の上下関係はどちらを上にしても良いが、栗石層の上に砂利層を形成する方が好ましい。
【００１４】
構造物用の基礎を含む敷地部Gには、換気管16が設置されている。この換気管16は、両端が開口した筒状の部材であり、その下端の開口が栗石層12に達し、その上端の開口が大気開放された状態で、敷地部Gに設置されている。上述したように、栗石層12は、気体を抱え込むことができる空隙を備えた層であり、通気性を有している。従って、このような換気管16を設置すれば、栗石層12と地上の空間との間における通気が可能になる。
【００１５】
供養塔Ｔのカロート部30は、コンクリート製の土台20と、土台20の上に構築されたコンクリート製の周壁31と、後述する納骨室42の床部41とに囲まれたカロート32と称される空間を備えている。カロート32は、略直方体の空間であり、納骨室42の下方に配置され、しかも一部が地面GLよりも下側に配置されており、いわば半地下室であるということができる。なお、図２における符号「40a」は納骨室42の出入りに用いられるドアである。
図２に示すように、土台20のうち、カロート部30の底面に該当する部分には、土台20を貫通する４つの通気穴21が形成されている。土台20の下は通気性を有する捨てコンクリート層15であるので、通気穴21は、捨てコンクリート層15を介して透湿防水シート14に達している。上述したように、捨てコンクリート層15は、透湿防水シート14を挟んで栗石層12と通気可能になっており、栗石層12は換気管16を介して地上の大気と通気可能になっている。従って、カロート32内は、通気穴21、捨てコンクリート層15、透湿防水シート14、栗石層12、換気管16を介して大気との間の通気性が確保されている。これにより、カロート32内の湿気を外に排出できる。また、通気性を確保しておけば、通気に伴ってカロート32内に対する気体の流入出が生じる。このような気体の流入出が生じると、何ら動力を用いることなく、カロート32内の気体を流動させることができ、流動気体を、後述の木炭片33や木炭粉層34の木炭粉（いずれも図１参照）に接触させることができる。なお、通気穴21の数としては複数が好ましい。
カロート30内の底部には、木炭片33が敷き詰められており、カロート30部の底面に形成された貫通穴21内には、木炭片33が投入されている。従って、土台20の下側からカロート32内に流入する気体は、流入時に木炭片33に接触する。別言すれば、木炭粉が流動空気に晒された状態になる。このような状態にすることで、カロート32内の空気中にマイナスイオンを発生させたり、害虫除去や防腐などの効果を得たりすることができ、カロート32内環境を向上させることができる。また、カロート32の底部に木炭片33を敷き詰めておけば、炭片の吸着作用によってカロート内空気が脱臭され、これによってもカロート内環境を向上させることができる。
【００１６】
なお、マイナスイオンとは、空気中に浮遊している微粒子のうち、マイナスに帯電したもののことである。また、炭の小片や粉の原料になる炭は、木炭に限られるものではなく、無機の多孔質物質であれば、例えば木炭以外にも竹炭やヤシガラ活性炭など植物由来の炭を用いることができる。
【００１７】
また、カロート32の壁すなわちカロート30部の周壁の内面には、木炭粉を含む木炭粉層34が形成されている。本実施例では、木炭粉と接着剤とを混合した材料を吹き付けることによって木炭粉層34を形成し、これにより木炭粉をカロート30部の周壁31の内面に付着させている。なお、接着剤としては、種々の溶液系の接着剤を用いることができるが、例えば、吹き付けに用いる接着剤としては、水系やアルコール系の接着剤などが好適である。接着剤の種類については、吹き付け対象物に応じて選択する。
カロート32の周壁31に木炭粉を付着させておくと、カロート壁面近傍を流動する空気が壁面に付着された該木炭粉に接触し、木炭粉が流動空気に晒された状態になる。これにより、カロート32内の空気中にマイナスイオンを発生させることができ、害虫除去、防腐、脱臭などの効果が得られる。
【００１８】
供養塔Ｔの納骨室部40は、カロート部30の上に位置するコンクリート製の床部41と、当該床部41の上に設置された壁構造50とその上の天井60とに囲まれた納骨室42と称される空間を備えている。納骨室42内には、多数の棚42aが設置されており、この棚42aに骨壷48を安置できるようになっている。
【００１９】
納骨室42の周囲の壁構造50は、概略的には、カロート部30を構成するコンクリート周壁31上に設置された鉄骨51に鋼板52,53を設置してなるものであり、外界に面した鋼板製の外壁52と、納骨室内側に配置された鋼板製の内壁53とを備える多重構造になっている。外壁52と内壁53は、相互に離れた位置に設置されており、外壁52と内壁53との間には、通気が可能な壁隙間部54が形成されている。なお、図１の符号「55」は、外壁52に形成された光取り窓55aに嵌め込まれたガラス等の透明材料からなる窓体である。窓体は、例えば、強化ガラスの二重構造体や肉厚のガラスブロック体などである。
【００２０】
これらのうち内壁53には、図３に示されるように、当該内壁53を貫通する多数の貫通孔（貫通部）53aが形成されている。従って、外壁52と内壁53の間の壁隙間部54は、貫通孔53aを介して納骨室内空間に連通している。
また、内壁53の貫通孔53aの大きさは、内壁53の高さ位置によって異なっている。より具体的に説明すると、貫通孔53aの大きさは、内壁下部の貫通孔（図３（Ｂ）参照）よりも内壁上部の貫通孔（図３（Ａ）参照）の方が大きくなっている。例えば、内壁53は通気性を確保するための貫通孔53aの部分とそれ以外の板材（非貫通部）の部分とで構成されていると考えた場合、当該内壁53は、内壁単位表面積当たりの貫通部開口面積の割合である貫通部占有率が、納骨室42の床部41に隣接する内壁下部よりも納骨室42の天井60に隣接する内壁上部の方が大きくなっている。
なお、内壁53のうち、ドア40aに対向して配置されている内壁ドア部53pは、隣接するその他の内壁53の部分に対して枢軸53sによって回動可能に取り付けられており、ドア40aの内側に設置された内ドアとして用いることができるようになっている。
【００２１】
外壁52には、納骨室42の内外に連通する筒形状の外壁換気口（下部換気口）52aが形成されている。本実施例では、外壁換気口52aの位置は、納骨室42の下部である。外壁換気口52aの納骨室内側の開口端は、外壁52と内壁53の間の壁隙間部54に開口しており、納骨室外側の開口端は、供養塔Ｔの外の外界に開口している。つまり、外界から外壁換気口52aを経て供養塔Ｔ内に流入する、矢印A（図１参照）で示す流入空気は、まず壁隙間部54に流入する。
【００２２】
外壁52の内面（納骨室側の面）には、断熱材及び吹き付け断熱材から構成される断熱材層52bが形成されている。そして、外壁52の断熱材層52bの上に木炭粉を含む木炭粉層52cが形成されている。従って、外壁換気口52aから壁隙間部54に流入した空気を、確実に木炭粉に接触させることができる。なお、ここで用いている木炭粉や、木炭粉の付着方法は、上述したカロート32の内壁に用いた木炭粉及びその付着方法と同様であるので、ここではその説明を省略する。
【００２３】
納骨室部40の天井60は、外界に面しており屋根として機能する上天板61と、納骨室内側に配置された鋼板製の下天板62とを備える多重構造になっている。
上天板61と下天板62は、相互に離れた位置に設置されており、上天板61と下天板62との間には、通気が可能な天井隙間部63が形成されている。
【００２４】
これらのうち下天板62には、下天板62を貫通する多数の貫通孔（貫通部）62aが形成されている（図３（Ａ）参照）。従って、上天板61と下天板62の間の天井隙間部63は、貫通孔を介して納骨室内空間に連通している。なお、本実施例では、下天板62の貫通孔62aの大きさは、内壁53の上部の貫通孔53aと同じであるが、必ずしも同じである必要はなく、例えば、内壁上部の貫通孔よりも大きくてもよい。
【００２５】
天井60の外天板61には、納骨室42の内外に連通する筒形状の天井換気口（上部換気口）61aが形成されている。天井換気口61aの納骨室内側の開口端は、上天板61と下天板62の間の天井隙間部63に開口しており、納骨室外側の開口端は、供養塔Ｔの外の外界に開口している。従って、矢印Ｂ（図１参照）で示すように、外壁換気口61aによって、天井隙間部63の空気を供養塔Ｔの外の外界に放出することができる。
また、天井換気口61aの納骨室外側の開口部には、供養塔内の空気を外界側に吸引する作用（排気作用）によって建物内の換気を行うためのベンチレーター（換気装置）64が設置されている。従って、天井換気口61aによる供養塔内空気の排出を効率よく行うことができる。
【００２６】
さらに、上天板61の納骨室側の面には木炭粉を含む木炭粉層61bが形成されている。従って、天井隙間部63を流動する空気を、確実に木炭粉に接触させることができる。なお、ここで用いている木炭粉や木炭粉の付着方法は、上述したカロート32の内壁に用いた木炭粉及びその付着方法と同様であるので、ここではその説明を省略する。
【００２７】
これまでの説明から解かるように、納骨室部40には、２つの換気口52a,61aが形成されており、そのうちの１つである外壁換気口52aがもう一つの天井換気口61aよりも低い位置に設置されている。このような配置にすれば、外壁換気口52aを納骨室42内への空気の流入口とし且つ天井換気口61aを納骨室42内からの空気の流出口とする、自然対流による換気を、より確実に生じさせることができる。なお、換気口の総数は２つ以上の複数でも良く、外壁換気口や天井換気口の数も複数でも良い。
【００２８】
ところで、本実施例の供養塔Ｔにおいて自然対流による換気が行われると、外壁換気口（下部換気口）52aから供養塔Ｔ内に空気が流入し、天井換気口（上部換気口）61aから供養塔Ｔ内の空気が供養塔外に排出される状態になる。
この状態のとき、外壁換気口52aから壁隙間部54に流入した空気は、納骨室42内と壁隙間部54とを仕切る内壁53によって、壁隙間部54を流動するように案内される。つまり、内壁53を設置することで、壁隙間部54内に流入した空気の多くを壁隙間部54内に留めて、より確実に外壁52の木炭粉に接触させることができる。つまり、木炭粉が流動空気に晒された状態をより確実に作り出すことができる。
そして、内壁53を設置することで、壁隙間部54内に流入した空気を壁隙間部54の延在方向に沿って上方に流動させることができる（図１の矢印Ｃ参照）ので、壁隙間部54内やこれに連通する天井隙間部63内の空気の流動性が向上し、外壁54や上天板61の木炭粉に流動空気をより確実に接触させることができる。すなわち、木炭粉が流動空気に晒されている状態をより確実に作り出すことができる。このように、内壁53は、流入空気及び流動空気の木炭粉への接触を促す木炭接触促進手段として機能する。
さらに、納骨室42内と天井隙間部63とを仕切る下天板62があるので、供養塔Ｔ内の空気を供養塔Ｔ外に排出する天井換気口61aには、主に天井隙間部63の空気が案内される。このように、下天板62があることで、天井隙間部63の空気の流動が促進され、上天板61の木炭粉に接触している空気をより確実に流動させることができる。つまり、下天板62は、流動空気の木炭粉への接触を促す木炭接触促進手段として機能する。
【００２９】
このように、本実施例の供養塔Ｔは、外壁換気口52aからの流入空気を、できるだけ壁隙間部54内を流動させる構成になっており、しかも、できるだけ天井隙間部63内の空気を天井換気口61aから排出させる構成になっている。つまり、本実施例の供養塔Ｔは、壁隙間部54及び天井隙間部63の空気の流動を促進する構成になっている。この点で、納骨室全体を換気する換気構造とは構成が異なっている。本実施例のような構成にすれば、木炭粉が付着された外壁52や上天板61に面する壁隙間部54内や天井隙間部63内の空気の流動が促進され、マイナスイオンの発生、吸着による脱臭、害虫除去や防腐などをより確実に実現することができる。
なお、木炭粉との接触により発生した流動空気中のマイナスイオンや木炭粉に接触することで脱臭等の作用を受けた壁隙間部54内や天井隙間部63内の流動空気の一部は、拡散現象等によって、内壁53及び下天板62に形成された貫通孔53a,62aを通過して納骨室42内へと流動する。従って、壁隙間部54内や天井隙間部63内の空気を納骨室42内に流動させる手段等を別途設置していなくても、マイナスイオンや脱臭空気等を納骨室42内全体に行き渡らせることができる。内壁53や下天板62には多数の貫通部53a,62aが形成されているので、マイナスイオンや消臭された空気を納骨室42内全体に迅速且つ均等に行き渡らせることができ、迅速且つ均等に納骨室42内環境を改善することができる。
また、木炭を付着させる面は、外壁52や上天板61に限られるものではない。例えば、内壁53の壁隙間部54に面する表面や下天板62の天井隙間部63に面する表面に木炭粉を付着させてもよいし、内壁53や下天板62の貫通孔53a,62aの部分や納骨室42側の表面に木炭粉を付着させてもよい。
【００３０】
納骨室42の床部41には、着脱可能な蓋体43が装着されたカロート開口41aと、納骨室42とカロート32とを連通するための連通孔44とが形成されている。これらのうち、カロート開口41aは、カロート32内のメンテナンスのために形成されたものであり、通常は蓋体43によって閉じられている。他方、連通孔44は、常時、納骨室42内とカロート32内とを連通させるためのものであり、２つ形成されている。この連通孔44があると、納骨室42とカロート32との間に、自然対流に基づく空気の流動を生じさせることができ、納骨室42とカロート42相互間の空気の流入出を生じさせることができる。このような空気の流入出が生じると、動力を何ら用いることなく、納骨室42内やカロート32内の空気を流動させることができ、流動空気を木炭粉に接触させることができ、木炭粉が流動空気に晒された状態を作り出すことができる。これにより、マイナスイオンの発生や吸着などを促進させることができる。
なお、カロート32はコンクリートに囲まれた半地下であり地熱の影響を受けやすい空間であるのに対し、納骨室42は大部分が鉄製である壁構造50によって囲まれた地上の空間であり大気の影響を受けやすい空間である。このように、両空間を異なる環境下に配置しておけば、自然対流が生じる状態をより確実に出現させることができ、自然対流を利用した、納骨室42とカロート42との間での空気の流入出をより確実に実現することができる。
なお、連通孔44の数としては、複数がより好ましく、複数の連通孔を形成するのであれば、それらの配置は非対称であることがより好ましい。連通孔をこのような構成にすると、両空間相互間の空気の流入出をより効率良く生じさせることができ、各空間内における空気流動をより効率よく生じさせることができる。なお、ここでいう対称の基準とは、例えば、点対称については納骨室の床の中央位置であり、線対称であれば、当該中心位置を通る任意の直線のことである。
【００３１】
ここまで説明した供養塔Ｔは、本考案に係る納骨用建物の一実施例である。本考案は種々改変することが可能なものであり、本考案には、本考案の趣旨を逸脱しない範囲で改変されたものが含まれる。
【００３２】
例えば、上記納骨室の壁構造50の外壁52は、主に鋼板で構成されているが、外壁全体をコンクリート製にしてもよい。
また、壁隙間部54の流動気体を横方向又は斜め方向（図２の矢印Ｆ参照）に流動させる案内部材を壁隙間部54に設置してもよい。
また、本実施例の供養塔で用いる骨壷48としては、その本体48aの底面及び骨壷蓋体48bにそれぞれ１つ以上の貫通穴が形成されているものが好ましい。このような骨壷48であれば、納骨室42内の換気と同時に骨壷48内の換気を行うことができる。このような骨壷が用いられる場合を含め、納骨室42内の棚42aとしては、例えば、格子構造になっているグレーチング(grating)と称される部材をはじめ、棚42aの上下両面に貫通する穴を備えているものが好ましい。そして、棚42aの素材としては、例えばＦＲＰ（Fiber Reinforced Plastics）を含めた強化プラスチック、鉄（亜鉛メッキ）、ステンレス、アルミニウムなどが好ましい。このような棚42aを用いれば、環境が改善された納骨室42内の空気を、棚42a上に安置された骨壷本体48aの外周や骨壷蓋体48bの部分だけでなく、骨壷本体48aの底面に、より確実に納骨室42内空気に接触させることができ、骨壷48内の換気性を向上させることができる。
また、内壁53の壁隙間部54側の表面に、内壁53の貫通孔53aに向けて流れる流動気体の流動方向を変更させる凹凸形状などの案内構造を形成してもよい。
また、内壁53の内壁ドア部53pの設置構造としては、隣接するその他の内壁53の部分に取り付けるのではなくドア40aに棒状の固定部材等を用いて固定する構造でもよい。
【図１】
0003167741.tif 000003
【図２】
0003167741.tif 000004
【図３】
0003167741.tif 000005